(57)【要約】【課題】ケース本体の開口部と蓋体とを周方向に均一に面接触させて、充分なシールド効果が得られる電子機器ケースを提供する。【解決手段】電子回路を収納するための開口部４を有するケース本体１０と、その開口部４を閉塞する蓋体２０とからなる電子機器ケース２において、蓋体２０を、ケース本体１０の開口部４と略同形状の天板部２２と、天板部２２の外周縁から天板部２２の板面に直交する一方向に延設された側壁部２４とから構成することにより、蓋体２０内にケース本体１０の開口部４を嵌合できるようにする。また、ケース本体１０は亜鉛等からなるダイキャストにて構成し、蓋体２０をそれよりも固い鉄製とすることで、蓋体２０内にケース本体１０の開口部４を嵌合する際には、圧入によりケース本体１０の開口部４の外周を変形させる。【選択図】図１
2010239019.tif 000002
【特許請求の範囲】
【請求項１】
電子回路を収納するための開口部を有するケース本体と、
前記ケース本体の開口部と略同形状の天板部と、該天板部の外周縁から前記天板部の板面に直交する一方向に延設された側壁部とからなり、当該側壁部内に前記ケース本体の開口部が嵌合されることにより、前記ケース本体の開口部を閉塞する蓋体と、
を備え、前記ケース本体は、ダイキャストにて形成され、前記蓋体は、前記ケース本体を構成するダイキャストよりも固い金属板をプレス成形することにより形成されていることを特徴とする電子機器ケース。
【請求項２】
前記ケース本体において、少なくとも前記蓋体が外嵌される前記開口部付近の側壁の外形は、略円形で、一部を、円形部分よりも曲率が小さく直線よりも外方向に膨らみを有する非円形にしたことを特徴とする請求項１に記載の電子機器ケース。
【請求項３】
前記蓋体を構成する金属板は、鉄若しくは鉄を主成分とする合金からなることを特徴とする請求項１又は請求項２に記載の電子機器ケース。
【発明の詳細な説明】
【技術分野】
【０００１】
本発明は、開口部を有するケース本体とその開口部を閉塞する蓋体とから構成される電子機器ケースに関する。
【背景技術】
【０００２】
従来、電磁波に対するシールド性が要求される電子機器ケースは、一面が開口され、その開口部とは反対側の面若しくは側面に入・出力端子が設けられた箱状のケース本体と、このケース本体の開口部を閉塞する蓋体とから構成されている。
【０００３】
また、開口部内には、蓋体を嵌合して位置決めするための段差部が形成されており、使用時には、電子回路が組み込まれた回路基板を開口部から収納して、入・出力端子を接続した後、蓋体を開口部内に嵌合させることで、ケース内を密閉するようにされている。
【０００４】
また、この種の電子機器ケースにおいては、シールド性を高めるために、ケース本体の段差部を２段にすると共に、蓋体をケース本体よりも軟らかい金属板（アルミ板等）にて構成し、蓋体を開口部内に嵌合させる際には、蓋体を押圧することで段差部に沿って変形させることが提案されている（例えば、特許文献１等参照）。
【０００５】
また、ケース本体の開口部の内周及び蓋体の外周に、互いに噛合するくさび状の凹・凸を形成することで、蓋体を開口部に嵌合させた際に、これら各部を密着させて、シールド性を高めることも提案されている（例えば、特許文献２等参照）。
【先行技術文献】
【特許文献】
【０００６】
【特許文献１】特開２００３−３１８５８３号公報
【特許文献２】特開２００７−２８７７６９号公報
【発明の概要】
【発明が解決しようとする課題】
【０００７】
しかしながら、従来の電子機器ケースは、いずれも、板状の蓋体をケース本体の開口部内に嵌合させることから、イミュニティ試験に耐え得る、充分なシールド効果が得られないという問題があった。なお、イミュニティ試験は、電子機器からの電磁波の漏れや電磁波に対する電子機器の耐性を測定する試験であり、電子機器の種別や使用地域によって規格が設定されている。
【０００８】
つまり、充分なシールド効果を得るには、蓋体とケース本体との接触面積、特に電磁波の侵入方向の接触面積を大きくして、ケース本体の開口部に対し蓋体の外周端縁を周方向に隙間なく接触させる必要がある。
【０００９】
しかし、上記後者の提案のように、くさび状の凹・凸を形成する方法では、蓋体を嵌合させた際に開口部が広がるのを防止することはできるものの、電磁波の侵入方向の接触面積を広げることはできないので、シールド効果を充分高めることはできない。また、特にケース本体がダイキャスト製である場合には、開口部が広がることはないので、この提案を採用してもシールド効果を高めることはできない。
【００１０】
一方、上記前者のように、蓋体の周縁を開口部内の段差部に沿って変形させる方法によれば、蓋体の変形により電磁波の侵入方向の接触面積を広げることはできる。しかし、蓋体の変形により増加する接触面積は蓋体の板厚と段差部の幅とで決まるため、シールド効果を得るのに充分な面接触とはならず、また、嵌合時に蓋体を無理に変形させているので、使用時の経年変化によって隙間ができるとか、嵌合時に加える押圧力によっては、却って隙間ができてしまうという問題もある。
【００１１】
本発明は、こうした問題に鑑みなされたものであり、ケース本体の開口部と蓋体とを周方向に均一に面接触させて、充分なシールド効果が得られる電子機器ケースを提供することを目的とする。
【課題を解決するための手段】
【００１２】
かかる目的を達成するためになされた請求項１に記載の電子機器ケースは、
電子回路を収納するための開口部を有するケース本体と、
前記ケース本体の開口部と略同形状の天板部と、該天板部の外周縁から前記天板部の板面に直交する一方向に延設された側壁部とからなり、当該側壁部内に前記ケース本体の開口部が嵌合されることにより、前記ケース本体の開口部を閉塞する蓋体と、
を備え、前記ケース本体は、ダイキャストにて形成され、前記蓋体は、前記ケース本体を構成するダイキャストよりも固い金属板をプレス成形することにより形成されていることを特徴とする。
【００１３】
また、請求項２に記載の発明は、請求項１に記載の電子機器ケースにおいて、
前記ケース本体において、少なくとも前記蓋体が外嵌される前記開口部付近の側壁の外形は、略円形で、一部を、円形部分よりも曲率が小さく直線よりも外方向に膨らみを有する非円形にしたことを特徴とする。
【００１４】
また、請求項３に記載の発明は、請求項１又は請求項２に記載の電子機器ケースにおいて、前記蓋体を構成する金属板は、鉄若しくは鉄を主成分とする合金からなることを特徴とする。
【発明の効果】
【００１５】
請求項１に記載の電子機器ケースによれば、ケース本体の開口部を、蓋体の側壁部内に嵌合することにより、ケース本体の開口部を閉塞するようにされている。このため、電磁波の侵入方向に対する開口部と蓋体との接触面積は、蓋体の側壁部の開口端から天板部までの長さによって決まり、その長さを大きくすることにより、これら各部の接触面積を大きくすることができる。
【００１６】
また、ケース本体は、ダイキャストにて形成されており、蓋体は、そのダイキャストよりも固い金属板をプレス成形することにより形成されている。このため、蓋体の側壁部の内周をケース本体の開口部の外周と同じか若干小さくして、開口部と蓋体との嵌合を圧入により行うようにすれば、ケース本体の開口部付近の外周面が変形して、蓋体の側壁部の内周面に密着することになる。
【００１７】
よって、本発明の電子機器ケースによれば、ケース本体の開口部と蓋体とを周方向に均一に面接触させることができるようになり、各種イミュニティ試験に耐え得る充分なシールド効果が得られる電子機器ケースを提供することができる。
【００１８】
ところで、本発明のように、蓋体を、側壁部を有する筒状にして、ケース本体の開口部を覆うようにした場合、ケース本体の開口部を矩形にして角部を設けると、蓋体の側壁部内に開口部を嵌合した際、角部周囲で蓋体とケース本体とを面接触させることができないことがあるので、ケース本体の開口部付近の側壁の外形は、角部のない円若しくは楕円形にすることが望ましい。
【００１９】
しかし、ケース本体の開口部付近の側壁の外形を、円形にした場合には、電子機器ケースの形状からは上下左右といった方向を識別することができないため、複数の端子を設けた場合に、各端子の機能を各端子の位置関係だけで識別することができず、使い勝手が悪い。
【００２０】
そこで、ケース本体の開口部付近の側壁の外形を、円形若しくは略円形にする際には、請求項２に記載のように、その外形の一部を、円形部分よりも曲率が小さく直線よりも外方向に膨らみを有する非円形にすることが望ましい。
【００２１】
このようにすれば、非円形部分の位置から電子機器ケースの方向、延いては、電子機器ケースに設けられた端子の機能を識別することができるようになり、使い勝手を向上できる。
【００２２】
なお、この識別のための部分を直線にせず、曲率が小さい非円形するのは、直線にすると、その部分で蓋体との接触が不十分となり、シールド効果が低下することが考えられるため。
【００２３】
つまり、請求項２に記載の電子機器ケースにおいては、ケース本体の開口部付近の側壁の外形の一部を非円形にすることで、電子機器ケースの方向を容易に識別できるようにするだけでなく、蓋体嵌合時に開口部と蓋体とを面接触させて、シールド効果が低下するのを防止している。
【００２４】
一方、蓋体を構成する金属板は、ケース本体を構成しているダイキャストよりも固い金属板であればよいが、ダイキャストは、亜鉛、アルミニウム、マグネシウムなどの非鉄金属とその合金にて構成されるものであることから、例えば、請求項３に記載のように、鉄若しくは鉄を主成分とする合金にて構成するとよい。つまり、このようにすれば、蓋体を低コストで作製することができる。
【図面の簡単な説明】
【００２５】
【図１】実施形態の電子機器ケース全体の構成を表す説明図であり、（ａ）はその側面図、（ｂ）はその底面図である。
【発明を実施するための形態】
【００２６】
以下に本発明の実施形態を図面と共に説明する。
本実施形態の電子機器ケース２は、例えば、テレビ放送の受信信号を分岐若しくは分配する分岐器若しくは分配器に使用されるものであり、分岐／分配回路が形成された回路基板を収納するための開口部４を有するケース本体１０と、その開口部４を閉塞する蓋体２０とから構成されている。
【００２７】
ケース本体１０の開口部４とは反対側の面（底面）５には、受信信号を、同軸ケーブルを介して入出力するための３つの同軸コネクタ６、７、８が設けられており、その内の一つ（例えば、同軸コネクタ６）を受信信号の入力端子、他の二つ（同軸コネクタ７、８）を受信信号の出力端子及び分岐出力端子、若しくは分配出力端子として使用するようにされている。
【００２８】
また、ケース本体１０には、これら同軸コネクタ６〜８に接続されて、入力端子から入力された受信信号を分岐若しくは分配して、各出力端子から出力する回路基板（図示せず）が収納される。
【００２９】
次に、ケース本体１０は、例えば亜鉛を主成分とする合金からなるダイキャストにて構成されており、側壁部分は、底面５から開口部４まで形状が同じ筒状であり、その外形形状は、略円形で、出力端子となる２つの同軸コネクタ７、８の配列方向に沿った一部が、円形部分に比べて極めて曲率が小さく、直線よりも外方向に膨らみを有する非円形に形成されている。
【００３０】
また、蓋体２０は、ケース本体１０の開口部４と略同形状の天板部２２と、その天板部２２の外周縁から天板部２２の板面に直交する一方向に延設された側壁部２４とからなり、この側壁部２４内にケース本体１０の開口部４が嵌合されることにより、ケース本体１０の開口部４を閉塞するように形成されている。
【００３１】
そして、この蓋体２０は、ケース本体１０を構成するダイキャストよりも固い金属板（具体的には鉄板）を、プレス加工（詳しくは深絞り加工）することにより、継ぎ目がなく、ケース本体１０の開口部４を嵌合可能な中空部を有する、ケースカバーとして構成されている。
【００３２】
また、蓋体２０の側壁部２４の内周は、ケース本体１０の開口部４の外周と同じか若干小さくなっており、ケース本体１０の開口部４に蓋体２０を被せる際には、ケース本体１０の開口部４が蓋体２０の側壁部２４内に圧入される。
【００３３】
この結果、その圧入時に、ケース本体１０の開口部４付近の外周面が、蓋体２０の形状に対応して変形し、蓋体２０の側壁部２４の内周面に密着することになる。
また、特に、本実施形態の電子機器ケース２によれば、ケース本体１０の開口部４付近の外周面は、略円形で、その一部を曲率の大きい非円形としていることから、開口部４付近の外周面には、角部や直線部分がない。
【００３４】
従って、上記のように蓋体２０内にケース本体１０の開口部４を圧入すれば、ケース本体１０の開口部４と蓋体２０とを周方向に均一に面接触させることができるようになり、各種イミュニティ試験に耐え得る、充分なシールド効果が得られる電子機器ケースを提供することができるようになる。
【００３５】
また、本実施形態では、ケース本体１０の開口部４の外周面の一部を非円形にし、その非円形部分に沿って、出力端子となる２つの同軸コネクタ７、８を配列している。このため、使用者は、電子機器ケース２の形状と各同軸コネクタ６〜８の位置から、各同軸コネクタ６〜８の種別を識別することができるようになり、電子機器の使い勝手を向上できる。
【００３６】
以上、本発明の実施形態について説明したが、本発明は上記実施形態に限定されるものではなく、本発明の要旨を逸脱しない範囲内にて、種々の態様をとることができる。
例えば、上記実施形態では、本発明を、分岐／分配器のケースに適用した場合について説明したが、本発明は、他の電子回路、特に高周波信号を伝送する伝送回路（増幅回路、周波数変換回路等）のケースに適用しても上記実施形態と同様の効果を得ることができる。
【００３７】
また、上記実施形態では、ケース本体１０は亜鉛を主成分とするダイキャストからなり、蓋体２０は、鉄板にて形成されているものとして説明したが、これら各部の材質は、適宜変更することができる。
【符号の説明】
【００３８】
２…電子機器ケース、４…開口部、５…底面、６〜８…同軸コネクタ、１０…ケース本体、２０…蓋体、２２…天板部、２４…側壁部。
【図１】
2010239019.tif 000003